(57)【要約】 【課題】フィンガーが具備されたヘアクリップを提供する。【解決手段】  本発明は上部クリップ片と下部クリップ片のブラケットのコイルバネと共にピンで結合して髪をクリップできるようになったヘアクリップにおいて、上部クリップ片の自由端に関節作用が行えるようにピンで結合され髪を束で挟持するようになったフィンガーと、前記フィンガーのＹ字形に分岐された後端部に連結され関節部に髪が挟まれないように案内するガイドループと、前記ガイドループを把持する前記上部クリップ片に形成されたホールドアイと、上部クリップ片の底面部に髪の挟持空間を拡張する凹設された凹込部で結合され髪を引き寄せ型に留められるように構成される。【選択図】図２
2008055069.tif 000002
【特許請求の範囲】
【請求項１】
上部クリップ片と下部クリップ片のブラケットのコイルバネと共にピンで結合して髪をクリップできるようになったヘアクリップにおいて、
上部クリップ片の自由端に関節作用が行えるようにピンで結合され髪を引き寄せで挟持するようになったフィンガーと、前記フィンガーのＹ字形に分岐された後端部に連結され関節部に髪が挟まれないように案内するガイドループと、前記ガイドループを取って支持する前記上部クリップ片に形成されたホールドアイと、上部クリップ片の底面部が髪の挟持空間を拡張する凹設された凹込部で結合構成されることを特徴とする髪を束状に留められるようにフィンガー付きヘアクリップ。
【請求項２】
ヘアクリップの上部クリップ片の自由端に形成されたブラケットのピン孔にフィンガーが嵌合孔とピン及びコイルバネで関節動作が行われるように結合されることを特徴としるフィンガーが具備された請求項１に記載のフィンガー付きヘアクリップ。
【請求項３】
ヘアクリップの上部クリップ片の自由端に形成されたコイルバネ受け２にバネを内蔵し、クリップ片の自由端の両側面に形成された嵌合突起をフィンバーの嵌合孔に嵌合して関節動作を可能に構成されることを特徴とする請求項１に記載のフィンガー付きヘアクリップ。
【請求項４】
ヘアクリップの上部クリップ片の自由端の中央部にバネ片が突出するように形成し、その両側面に嵌合突起を形成してフィンガーの嵌合孔に係合して構成することを特徴とする請求項１に記載のフィンガー付きヘアクリップ。
【請求項５】
フィンガーのＹ字形に分岐された後端部にピン孔の一部が切欠された形態に形成され、ガイドループの両側連結部には前記フィンガーの後端部が挿入されるＵ字形の凹溝が形成され、凹溝間にピンが一体に形成されピンを前記ピン孔の切欠部を通じて結合してなることを特徴とする請求項１に記載のフィンガー付きヘアクリップ。
【請求項６】
フィンガーのＹ字形に分岐された後端部にガイドループが一体に成形されており、連結部に伸縮性が保たれるように波形に屈曲形成されることを特徴とする請求項１に記載のフィンガー付きヘアクリップ。
【請求項７】
フィンガーのＹ字形に分岐された後端部にガイドループが一体に形成され、連結部が直線形に形成されることを特徴とする請求項１に記載のフィンガー付きヘアクリップ。
【請求項８】
フィンガーの後端部に連結されたガイドループの後端折曲部は、ヘアクリップのクリップ片に形成されたホールドアイにかけてフィンガーの関節部に髪が挟まれないように案内可能に構成されることを特徴とする請求項１に記載のフィンガー付きヘアクリップ。
【請求項９】
フィンガーの後端部に連結されたガイドループの後端折曲部は、ヘアクリップのブラケットの内側Ａ点に置かせて構成されることを特徴とする請求項１に記載のフィンガー付きヘアクリップ。
【請求項１０】
フィンガーの後端部に連結されたガイドループの後端折曲部は、ヘアクリップのブラケットの外側Ｂ点に置かせて構成されることを特徴とする請求項１に記載のフィンガー付きヘアクリップ。
【請求項１１】
フィンガーの後端折曲部の端部に形成された嵌合孔にガイドループの連結部に溝に形成された連結ピンを挟んで連結し、上部クリップ片のブラケットの近傍の上面には摺動溝が両側に形成された連結部を形成して、前記ガイドループの後端部に形成されたチップを前記連結部の摺動溝に動けるように挟み込んでなされることを特徴とする請求項１に記載のフィンガー付きヘアクリップ。
【発明の詳細な説明】
【技術分野】
【０００１】
本発明はフィンガーが付いているヘアクリップに関する。
【背景技術】
【０００２】
ヘアピンとヘアクリップは女性の髪を希望のスタイルに固定するためにヘア飾りに多用されている。
一般のヘアクリップは、一対のクリップ片がブラケットと結合片及びコイルバネで組み立てられて、クリップ片の押し板を押えると向かい合った上下クリップ片が広まり、押し板を放つとバネの弾発力により上下クリップ片が圧着しつつヘアを留めるようになっている。
しかし、一対のクリップ片は細長い板状にやや湾曲されており、嵌合ピンを支点としてレバー作動を行うため、嵌合ピンに近接した位置のクリップ片間では髪を比較的に強く留めることができるが、嵌合ピンから離れたクリップ片の自由端に至るほどバネの弾発力による挟持力が弱くて髪を挟持し難い。また髪を平坦な形態に留めるだけ、引き寄せ(gathering)または束(bundle)状に挟持することができない。また、体や頭を動かすと留めたヘアクリップが髪から離脱しやすくなる恐れがあるなど固着性に足りない問題点があった。
【発明の開示】
【発明が解決しようとする課題】
【０００３】
本発明は前述した問題点を解決するために案出されたもので、その目的は一対のクリップ片が嵌合ピンとコイルバネにより組み立てられて髪を留めるようになったヘアクリップにおいて、フィンガーの長さほど短縮された上部クリップ片の自由端にフィンガーを関節動作できるように結合して、ヘアクップの先端部側でフィンガーにより髪を引き寄せ、あるいは束状に安全に保持できるフィンガーが付いている新たなヘアクリップを提供するところにある。
本発明の他の目的はフィンガー付きクリップ片の底面部を凹んだ凹込部で形成して髪の挟持空間が拡張されたヘアクリップを提供するところにある。
本発明のさらに他の目的は、前記上部クリップ片に結合された前記フィンガーの後端部にガイドループを形成して、前記ガイドループを前記上部クリップ片に形成されたホールドアイにかけたり、あるいはヘアクリップのブラケットの内側や外側に置かせて前記フィンガーの関節部の隙間に髪が挟まれないように案内して、ヘアクリップの使用上の安全性が確保されたヘアクリップを提供するところにある。
本発明のさらに他の目的は、前記フィンガーと前記ガイドループを連結手段により分離連結が可能に形成して、前記フィンガーの組立て作業の簡便性が確保されたヘアクリップを提供するところにある。
本発明のさらに他の目的は、前記フィンガーと前記ガイドループを一体に形成し、前記ガイドループの連結部を伸縮性が確保されるように波形に屈曲形成して、前記フィンガーの関節動作時に前記ガイドループが干渉せず使用上の安全性が確保されたフィンガー付きヘアクリップを提供するところにある。
【課題を解決するための手段】
【０００４】
本発明は前述した目的を達成するため、上部クリップ片と下部クリップ片がブラケットに結合された嵌合ピンとコイルバネにより髪を留められるようになったヘアクリップにおいて、フィンガーの長さほど短縮された上部クリップ片の先端部である自由端に関節作用を果たせるようにピンで結合され髪を束状に挟持するようになったフィンガーと、前記フィンガーのＹ字形に分岐された後端部に連結され関節部の隙間に髪が挟まれないように案内するガイドループと、前記ガイドループを取って支持する前記上部クリップ片に形成されたホールドアイと、上部クリップ片の底面部が凹んで髪の挟持空間を拡張する凹込部などで結合構成されることを特徴として、髪を引き寄せや束状にクリップできるフィンガーが具備されたヘアクリップを開発した。
本発明のヘアクリップは、上下クリップ片により髪を挟持する時上部クリップ片の自由端に関節作用が可能なように結合されたフィンガーにより髪をクリップ片の内側に引き寄せることができる。従って、髪を所望のスタイルに奇麗に留めることができる。
また、本発明のヘアクリップはフィンガーの結合された上部クリップ片の底部が凹んだ凹込部で形成されている。従って、上下対向したクリップ片間に髪の挟持空間が拡張され髪を引き寄せや束状に挟持し易い。さらに、前記フィンガーの保持作用により髪に対する挟持力が補強されヘアクリップが髪にしっかり取り付けられて、体のいずれの動作にもヘアクリップが離脱せずクリップ状態を安全に維持することができる。
また、本発明のヘアクリップは、フィンガーの後端部にガイドループが形成されているため、上部クリップ片の自由端に結合された前記フィンガーが関節動作を行う時フィンガーと上部クリップ片の結合された関節部間の隙間に髪が挟まれないように案内される。従って、ヘアクリップをヘアから取り外す時髪が毟られることなく容易に取り外せる。
そして、本発明のヘアクリップは、フィンガー後端部にガイドループが連結手段により連結されているので、前記ガイドループを上部クリップ片に形成されたホールドアイに挟み込んで一層効率的にヘアクリップを組み立てて生産することができる。
前記ガイドループはヘアクリップのブラケットの内側や外側のいずれの側に位置させても良く、髪を安全に案内する作用は万遍なく同一である。
また、前記フィンガーの後端部に一体に形成されたガイドループは連結部に伸縮性を保たせるように波形に屈曲形成されている。従って、前記フィンガーの関節動作によるガイドループの長さ変動が自由であり、フィンガーの関節作用にガイドループが干渉しなくなる。
本発明のヘアクリップにおいて、上部クリップ片に結合されたフィンガーと、前記フィンガーの後端部に連結されるガイドループの構造については前述した説明に限定されず、請求の範囲内で本分野の通常の技術者が自明に設計変更したり実施できる構成も本発明の範囲に含まれる。
【発明の効果】
【０００５】
本発明は一対のヘアクリップ片がピンとコイルバネにより結合され髪を挟持するようになったヘアクリップにおいて、フィンガーの長さほど短縮された上部クリップ片の自由端にフィンガーを関節動作できるように結合して構成したため、髪を引き寄せまたは束状に安全に留めることができる。
また、本発明はフィンガー付きクリップ片の底面部を凹んだ凹込部で形成したため、髪お挟持空間が拡張され髪を引き寄せや束状に挟持するのに有利である。
また、本発明は上部クリップ片に結合されたフィンガーの後端部にガイドループを形成してガイドループの折曲部を上部クリップ片に形成されたホールドアイにかけたり、あるいはヘアクリップのブラケットの内側や外側に位置させてフィンガーの関節部の隙間に髪が挟まれないように案内できるように形成したため、ヘアクリップの使用上の安全性が確保され使い勝手が良い。
また、本発明はフィンガーとガイドループを連結手段により着脱可能なように形成したため、ガイドループを上部クリップ片に形成されたホールドアイにかけて、さらに効率よくヘアクリップを組立生産することができる。
また、本発明はフィンガーとガイドループを一体に形成し、ガイドループの連結部を波形に屈曲形成したため、ガイドループに伸縮性が保たれてフィンガーが関節動作を行う時ガイドループの長さ変動が自由であり、フィンガーの動作を一層円滑に行える。
また、本発明のヘアクリップは一般のヘアクリップとは違って、髪を引き寄せあるいは束状に端正に留めることができＴ、多様なヘアスタイルを固定することができ、ヘアクリップの本来の挟持力とフィンガーの補強された挟持力との結合により髪を一層強く挟持しているため、体や頭を激しく動かしてもヘアクリップが髪から離脱せず各種のヘアスタイルに有効に使用することができる。
【発明を実施するための最良の形態】
【０００６】
以下、添付した図面に基づき本発明を詳述する。
【実施例１】
【０００７】
図１は本発明のヘアクリップにおいて、フィンガーとガイドループの連結手段と上部クリップ片の底面部が凹んだ凹込部とから形成された構造を示した要素の分離斜視図である。
図２はヘアクリップにおいて、上部クリップ片にフィンガーが組み立てられ、ガイドループが上部クリップ片に形成されたホールドアイ（hold eye）に組み立てられた状態を示したヘアクリップの斜視図である。
図１に示したように、相対向した一対のクリップ片２、３、前記クリップ片２、３と一体に形成された押し板２ａ、３ａ、押し板２ａ、３ａとクリップ２、３との間の縁部にそれぞれ形成されたブラケット２ｂ、３ｂ、前記ブラケット２ｂ、３ｂのピン孔２ｈ、３ｈに挟み込まれる嵌合ピン１ｐ、前記嵌合ピン１ｐに挿入され前記クリップ片２、３を広げるように力を加えるコイルバネ１ｓでヘアクリップ１が構成されている。これは一般のヘアクリップの基本構成である。
本発明はヘアクリップ１において、下部クリップ片３に比べてフィンガー４の長さほど短縮された上部クリップ片２の自由端２ｅにピン孔２ｈ’を有したブラケット２ｄが形成され、前記ピン孔２ｈ’とフィンガー４の嵌合孔４ｈにコイルバネ２ｓと共にピン２を挿入して髪を留める前記フィンガー４が関節動作を可能にするように結合されている。また、前記フィンガー４のＹ字形に分岐された後端部４ｂに髪が前記フィンガー４の関節部Ｌに挟まれないように案内するガイドループ５が連結手段により連結されており、前記ガイドループ５の後端折曲部５ｂはヘアクリップ１のいずれか１箇所に支持されるように構成されたものである。
本発明において上部クリップ片２にはガイドループ５をかけるためのホールドアイ２ｇが長孔でブラケット２ｂに近接した側面に形成されている。前記クリップ片２の底部はヘアの挟持空間を確保するために凹んだ凹込部２ｃで形成されており、残り部分の底部にはヘアを取る波形に歯２ｔが形成されている。
下部のクリップ片３は細長い単純な形態をなし、長手方向からやや湾曲され前記フィンガー４の端部４ａが下部クリップ３の先端部で互いに接触するようになっている。
また、フィンガー４の両側下部の縁部には波形に歯４ｔが形成され髪を取れるようになている。
前記フィンガー４の後端部４ｂに連結されるガイドループ５の連結手段としては、図１に示されているように、フィンガー４の両側に分岐されたＹ字形の後端部４ｂにピン孔５ｇが一部切欠された形態に形成され、ガイドループ５の両側連結部５ａには前記フィンガー４の後端部４ｂが挿入されるＵ字形の凹溝５ｕが形成され、凹溝５ｕ間にピン５ｐが一体に形成され、ピン５ｐを前記フィンガーの後端部４ｂに形成されたピン孔４ｇの切欠部を通じて力を加えて押し込めば、フィンガー４の材質の弾性により前記ピン孔４ｇに前記ピン５ｐが容易に結合される。結合された後には人為的に分離しない限りフィンガー４の後端部４ｂからガイドループ５の連結部５ａが自然に分離されることはない。
前記ガイドループ５の後端部５ｂは、図２に示したように、クリップ片２に長孔で形成されたホールドアイ２ｇに貫通するようにかけて離脱されず、ホールドアイ２ｇ内でフィンガー４の関節動作により流動しつつフィンガー４の関節部Ｌと上部クリップ片２との 隙間に髪が挟まれないようにする役割を果たす。このようなガイドループ５の後後部５ｂを上部クリップ２のホールドアイ２ｇにかけてガイドループ５の連結手段により簡便に組み立てることができる。
また、前記フィンガー４の後端部４ｂに連結されたガイドループ５の後端折曲部５ｂは図３に示したように、ヘアクリップ１のブラケット２ｂ、３ｂの内側Ａ点やその外側Ｂ点に位置させても良い。いすれの場合もフィンガー４の関節部Ｌの間に髪が挟まれないようにする案内作用は万遍なく同一である。
【実施例２】
【０００８】
本発明において前記フィンガー４の結合手段の実施例として実施例１と同じ要素は同一な符号を付して以下に説明する。
図１ａに示したように、ヘアクリップの上部クリップ片２の自由端２ｅにコイルバネ受け２ｆを形成してフィンガー４を弾性的に動作させるバネ２ｓを内蔵し、上部クリップ片２の自由端２ｅの両側面に嵌合突起２ｐを外側に向かって突出するようにそれぞれ形成して、嵌合突起２ｐを前記フィンガー４の嵌合孔４ｈにそれぞれ挿入結合して関節動作を可能に構成する。この結合手段によりヘアクリップの上部クリップ片２の自由端２ｅに前記フィンガー４を少ない工数で簡便に組み立てて、さらに効率よくヘアクリップを生産することができる。
【実施例３】
【０００９】
本発明において前記フィンガーの結合手段の他の実施例であって、図１ｂに示したように、上部クリップ片２の自由端２ｅの中央部にフィンガーを弾性的に作動させるバネ片２ｒが前方に張り出るように形成し、上部クリップ片２の自由端２ｅの両側面に嵌合突起２ｐをそれぞれ外側に向かって突出するようにそれぞれ形成して、前記嵌合突起２ｐをフィンガー４のピン孔４ｈにそれぞれ挿入結合して関節動作を可能に構成する。この構成によりコイルバネなしにバネ片２ｒの弾性作用によってフィンガー４を弾性的に作動させることができ、構成要素の数がさらに節減されてフィンガーの組立が簡便であり、さらに効率良くヘアクリップを組立生産することができる。
【実施例４】
【００１０】
本発明においてガイドループ５の連結手段の実施例であって、図５に示したように、ヘアクリップ１の上部クリップ片２の自由端２ｅに結合されたフィンガー４の後端部４ｂにガイドループ５が一体に成形され、連結部５ａが伸縮性を保つように波形に屈曲形成されている。前記ガイドループ５の後端折曲部５ｂは前記フィンガー４の組立時にヘアクリップ１のブラケット２ｂ、３ｂの内側Ａ点、またはその外側のＢ点に位置するように組み立てる。いずれの部位（Ａ点またはＢ点）にガイドループ５の後端折曲部５ｂが位置しても前記フィンガー４の関節部Ｌに髪が挟まれないようにする案内作用は万遍なく同一である。
ガイドループ５の連結部５ａが波形に屈曲され伸縮性が確保されているため、前記フィンガー４の関節動作によるガイドループ５の長さ変動が自由でありフィンガー４の作動をガイドループ５が全く干渉しない。
【実施例５】
【００１１】
本発明においてガイドループ５の連結手段の他の実施例であって、図６に示したように、フィンガー４の後端部４ｂに一体に連結されるように成形されたガイドループ５は連結部５ａを一直線に形成し、ガイドループ５の後端折曲部５ｂをヘアクリップ１のブラケット２ｂ、３ｂの内側Ａ点、または外側Ｂ点に位置するように組み立てる。いずれの部位（Ａ点またはＢ点）にガイドループ５の後端折曲部５ｂが位置してもフィンガー４の関節部Ｌに髪が挟まれないようにする案内作用は万遍なく同一である。
前述した構造の本発明のヘアクリップ１は、図２に示したように、押し板２ａ、３ａを手で押下すれば、ピン１ｐを支点として対向した上下クリップ片２、３が広がり、フィンガー４も共に広がる。この際、下部側クリップ片３を髪間に挿入して挟持する髪を広がった上下クリップ片２、３の間に挟み込んで押し板２ａ、３ａを放つと、図４に示したようにコイルバネ１ｓの弾発力により上下クリップ片２、３が互いに挟着しながら髪ｈをクリップする。かつ、フィンガー４はコイルバネ２ｓの弾発力により上部クリップ片２の自由端２ｅから内側に折り曲げて関節動作を行って、フィンガー４の端部４ａが下部クリップ片３の先端部に当接して髪を引き寄せた状態に取る。また、上部クリップ片２の底面部が凹んだ凹込部２ｃで形成されているので、髪の挟持空間が拡張されて髪を引き寄せや束状に容易に挟持することができる。
【実施例６】
【００１２】
本発明においてガイドループ５の連結手段の他の実施例は、図７及び図８に示したように、上部クリップ片２の先端部に連結されたフィンガー４の後端折曲部４ｂの端部には切欠された嵌合孔４ｇを形成し、Ｙ字形のガイドループ５の連結部５ａには溝５ｕと連結ピン５ｐを形成して、前記連結ピン５ｐを前記嵌合孔４ｇに嵌合して連結する。また、上部クリップ片２のブラケット２ｂの近傍の上面には両側に摺動溝２ｋが形成された連結部２ｑを形成して、前記ガイドループ５の後端部に形成されたチップ５ｔを前記連結部２ｑの摺動溝２ｋに動かないように嵌合してなる。
本実施例の構成はガイドループ５の組立てが簡便なので一層効率よくヘアクリップを組立生産することができる。また、ガイドループ５の後端部チップ５ｔが摺動溝２ｋに連結されていることからフィンガー４の動作時にガイドループ５の流動が可能なのでフィンガー４の動作がスムーズであり、また髪がフィンガー４の連結部に挟めないように案内する。
髪に対するヘアクリップ１の上下クリップ片２、３の本来の挟持力と、フィンガー４により補強された挟持力との結合により髪を強く挟持するので、体や頭を激しく動かしてもクリップさせたヘアクリップが髪から離脱せず奇麗なヘアスタイルを固定維持する。
また、ガイドループ５はフィンガー４の関節動作に干渉せず、クリップ片２、３に挟持された髪がフィンガー４の関節部Ｌに挟まれないように外部に案内する役割だけを果たす。
本発明のヘアクリップは従来のヘアクリップといずれのスタイルに整髪した髪をそのまま固定維持することができ、各種のヘアスタイルに有効に使用可能である。
【図面の簡単な説明】
【００１３】
【図１】本発明のヘアクリップにおいて、フィンガーとガイドループの連結手段と上部クリップ片の底面部が凹んだ凹込部で形成された状態を示した要素の分解斜視図。
【図１ａ】フィンガーの結合手段の一実施例を示した分離斜視図。
【図１ｂ】フィンガーの結合手段の他の実施例を示した分離斜視図。
【図２】ヘアクリップにおいて、上部クリップ片にフィンガーが結合され、ガイドループが上部クリップ片に形成されたオールドアイにかけて組み立てられた状態を示したヘアクリップの斜視図。
【図３】図２のフィンガーの後端部に連結されたガイドループがヘアクリップのブラケットの外側部に位置するように組み立てられた実施例示図。
【図４】図２のフィンガー付きヘアクリップでヘアを引き寄せ型に留めた状態を示した側断面図。
【図５】本発明のフィンガーの後端部に一体に形成されたガイドループの連結部に伸縮性が保たれるように波形に屈曲形成されたヘアクリップの他の実施例示図。
【図６】本発明のフィンガーの後端部に連結されたガイドループの連結部が直線形に形成された他の実施例示図。
【図７】本発明のフィンガーの後端部に連結されたガイドループに形成されたチップを摺動溝に結合した構成の他の実施例示図。
【図８】ガイドループと摺動溝の構成を示した一部拡大斜視図。
【符号の説明】
【００１４】
１: ヘアクリップ
２：上部クリップ片
３：下部クリップ片
５：ガイドループ
【図１ａ】
2008055069.tif 000003
【図１】
2008055069.tif 000004
【図１ｂ】
2008055069.tif 000005
【図２】
2008055069.tif 000006
【図３】
2008055069.tif 000007
【図４】
2008055069.tif 000008
【図５】
2008055069.tif 000009
【図６】
2008055069.tif 000010
【図７】
2008055069.tif 000011
【図８】
2008055069.tif 000012